(57)【特許請求の範囲】
【請求項１】
注入口を有するタンク本体と、前記注入口内で保持される筒状部と該筒状部の下端側開口に設けられたフィルタ部とを有するストレーナと、を備える液体タンクであって、
前記ストレーナの前記筒状部には、上面を持つ段差部が設けられると共に、前記段差部の前記上面よりも径方向幅が小さい筒状部材からなる立ち上がり部と、該立ち上がり部の上端から前記筒状部の内側下方ヘ向かって延びると共にその先端が前記筒状部の内部かつ前記フィルタ部よりも上側まで延在して該先端によって前記ストレーナの中心部分に開口が形成される傾斜部とを有する跳ね返り防止部材が配設されており、
前記跳ね返り防止部材は、前記立ち上がり部の下端が前記段差部の前記上面と当接するように前記筒状部に内嵌されることで、前記筒状部に着脱可能に載置されて配設されていることを特徴とする、ストレーナ付き液体タンク。
【請求項２】
前記跳ね返り防止部材は、前記タンク本体の前記注入口の上端側開口もしくは前記ストレーナの前記筒状部の上端側開口から所定の距離を置いて設けられていることを特徴とする、請求項１に記載のストレーナ付き液体タンク。
【請求項３】
前記傾斜部は、段階的もしくは連続的に傾斜角が変化していることを特徴とする、請求項１又は２に記載のストレーナ付き液体タンク。
【請求項４】
前記傾斜部は、内側に行くに従って傾斜角が大きくされていることを特徴とする、請求項３に記載のストレーナ付き液体タンク。
【請求項５】
前記傾斜部の先端は、前記段差部よりも下側まで延在していることを特徴とする、請求項１から４のいずれか一項に記載のストレーナ付き液体タンク。
【請求項６】
前記立ち上がり部の外周面は、前記筒状部の内周面に当接せしめられていることを特徴とする、請求項１から５のいずれか一項に記載のストレーナ付き液体タンク。
【請求項７】
前記跳ね返り防止部材は、環状、螺旋状、または周方向で部分的に設けられていることを特徴とする、請求項１から６のいずれか一項に記載のストレーナ付き液体タンク。
【請求項８】
前記筒状部は、前記段差部が前記注入口に設けられた支持部に載置されて前記注入口内で保持されていることを特徴とする、請求項１から７のいずれか一項に記載のストレーナ付き液体タンク。
【請求項９】
前記跳ね返り防止部材には切欠きが設けられていることを特徴とする、請求項１から８のいずれか一項に記載のストレーナ付き液体タンク。
【請求項１０】
前記フィルタ部は、前記筒状部から下方へ延びる筒状のストレート部と該ストレート部の下端に設けられた底部とからなることを特徴とする、請求項１から９のいずれか一項に記載のストレーナ付き液体タンク。
【請求項１１】
前記フィルタ部は、前記筒状部から下方へ行くに従って縮径するテーパ部と該テーパ部の下端に設けられた底部とからなる逆錐台状を有していることを特徴とする、請求項１から９のいずれか一項に記載のストレーナ付き液体タンク。
【請求項１２】
前記底部には、該底部の周囲に沿って環状補強部材が配設されていることを特徴とする、請求項１１に記載のストレーナ付き液体タンク。
【請求項１３】
前記テーパ部には、前記環状補強部材から前記筒状部まで延びる柱状補強部材が配設されていることを特徴とする、請求項１２に記載のストレーナ付き液体タンク。
【請求項１４】
前記柱状補強部材は、前記環状補強部材から放射状に複数設けられていることを特徴とする、請求項１３に記載のストレーナ付き液体タンク。
【請求項１５】
前記開口は、前記フィルタ部の下端に設けられた平面視円形の底部より大きいことを特徴とする、請求項１に記載のストレーナ付き液体タンク。
【発明の詳細な説明】
【技術分野】
【０００１】
本発明は、ストレーナ付き液体タンクに係り、例えば噴霧機や散布機等に搭載され、薬液等の液体に含まれる異物を除去するストレーナが注入口に装着された液体タンクに関する。
【背景技術】
【０００２】
従来、農薬等の薬液や水を農作物や植物等に噴霧もしくは散布する噴霧機や散布機等の作業機として、背負式のものや手持ち式のものが知られている。この種の携帯式作業機では、薬液や水を貯留するための液体タンクと共に、当該液体タンク内の薬液や水を噴霧手段としてのノズルに圧送するポンプが一体的に搭載されている。作業者は、液体タンクに設けられた注入口を介して当該液体タンクに薬液や水を注入し、手動や電動、エンジン等でポンプを駆動して、液体タンク内の薬液や水をノズルを介して農作物や植物等に噴霧もしくは散布できるようになっている（例えば、特許文献１〜３）。
【０００３】
また、この種の作業機として、ポンプ内への異物の侵入によって引き起こされる故障等の問題に対処すべく、液体タンクに貯留される薬液や水等の液体を濾過するストレーナ（濾過器）が設けられたものが知られている。特許文献４、５には、液体タンクに注ぎ込まれる薬液や水等の液体を濾過するべく、注入口にストレーナが取り付けられた液体タンクが開示されている。特許文献４、５に開示される液体タンクでは、注入口に取り付けられたストレーナにて液体タンクに注ぎ込まれる液体に含まれる異物が捕捉されるため、濾過された液体が当該液体タンクに貯留され、ポンプ内への異物の侵入を防止することができる。
【先行技術文献】
【特許文献】
【０００４】
【特許文献１】特開２００１−７０８４５号公報
【特許文献２】特開２００３−２４８３３号公報
【特許文献３】特許第３７４６７５５号公報
【特許文献４】実公昭６３−３８９４４号公報
【特許文献５】特許第４２６２６３８号公報
【発明の概要】
【発明が解決しようとする課題】
【０００５】
ところで、上記した液体タンクに取り付けられるストレーナのフィルタ部分は、所定の網目寸法を有するメッシュ（網状部材）等から構成されており、そのフィルタ部分には、当該フィルタ部分の形状を保持して濾過性能を確保するべく、脚柱（特許文献４）や骨部材（特許文献５）等といった補強部材が配されている。
【０００６】
そのため、特許文献４、５に開示されるような従来の液体タンクにおいては、作業者が注入口に取り付けられたストレーナ（のフィルタ部分）の中心部分へ向かって薬液や水等の液体を注ぎ込んだ場合でも、その液体がストレーナのフィルタ部分の補強部材等に当たって跳ね上がり、跳ね上がった液体がストレーナの側壁付近（すなわち、注ぎ込まれる液体の周囲）から当該液体タンクの外部へ漏れる或いは飛散するといった問題があった。
【０００７】
また、上記した問題は、ストレーナの側壁高さ（フィルタ部分からストレーナの開口上端までの距離）を確保することで回避し得ると考えられたが、そのように側壁高さを長くしたストレーナを使用しても、作業者が注入口に取り付けられたストレーナの側壁へ向かって液体を注ぎ込んだ場合、ストレーナ内に液体が溜まってくると、注ぎ込まれる液体によりストレーナ内に溜まった液体が波打ち、その液体が、ストレーナの側壁のうち液体が注ぎ込まれる側以外の側壁を伝って（這い上がって）液体タンクの外部へ漏れる或いは飛散する可能性があることが本発明者等による検証実験により確認された。
【０００８】
一般に、上記したような携帯式作業機では、薬液等の注入作業における作業性等の観点から、液体タンクの注入口が上記作業機の上部に設けられ、一方で、ポンプを駆動するためのモータやバッテリ、エンジン等の動力源はその液体タンクの注入口よりも下方に搭載されている（例えば、特許文献１〜３）。そのため、上記したように薬液や水等の液体を注入する際に当該液体が液体タンクから漏れると、その液体が、作業機を背負ったり持ったりするためのバンド、ポンプを駆動するための動力源等に飛散もしくは付着し、当該バンドや動力源等を構成する部品が錆付くといった問題が発生する。
【０００９】
本発明は、前記問題に鑑みてなされたものであって、その目的とするところは、農薬等の薬液や水などの液体をストレーナが取り付けられた液体タンクに注入する際に、簡単な構成でもって、液体注入時における液体タンクからの漏れ或いは飛散を抑制でき、当該液体を液体タンクに確実に注入でき、作業者の作業性を格段に高めることのできるストレーナ付き液体タンクを提供することにある。
【課題を解決するための手段】
【００１０】
上記する課題を解決するために、本発明に係るストレーナ付き液体タンクは、注入口を有するタンク本体と、前記注入口内で保持される筒状部と該筒状部の下端側開口に設けられたフィルタ部とを有するストレーナと、を備える液体タンクであって、前記ストレーナの前記筒状部には、該筒状部の内側下方へ向かって延びる傾斜部を有する跳ね返り防止部材が配設されていることを特徴としている。
【００１１】
好ましい形態では、前記跳ね返り防止部材は、前記タンク本体の前記注入口の上端側開口もしくは前記ストレーナの前記筒状部の上端側開口から所定の距離を置いて設けられている。
【００１２】
他の好ましい形態では、前記傾斜部は、段階的もしくは連続的に傾斜角が変化している。
【００１３】
他の好ましい形態では、前記跳ね返り防止部材は、環状、螺旋状、または周方向で部分的に設けられている。
【００１４】
他の好ましい形態では、前記跳ね返り防止部材は、前記筒状部と別体または一体として設けられている。
【００１５】
更に好ましい形態では、前記跳ね返り防止部材は、前記筒状部に着脱可能に配設されている。
【００１６】
更に好ましい形態では、前記跳ね返り防止部材は、前記筒状部に設けられた段差部もしくは前記筒状部の上端部に載置されて配設されている。
【００１７】
更に好ましい形態では、前記筒状部は、前記段差部が前記注入口に設けられた支持部に載置されて前記注入口内で保持されている。
【００１８】
他の好ましい形態では、前記跳ね返り防止部材には切欠きが設けられている。
【００１９】
他の好ましい形態では、前記フィルタ部は、前記筒状部から下方へ延びる筒状のストレート部と該ストレート部の下端に設けられた底部とからなる。
【００２０】
他の好ましい形態では、前記フィルタ部は、前記筒状部から下方へ行くに従って縮径するテーパ部と該テーパ部の下端に設けられた底部とからなる逆錐台状を有している。
【００２１】
更に好ましい形態では、前記底部には、該底部の周囲に沿って環状補強部材が配設されている。
【００２２】
更に好ましい形態では、前記テーパ部には、前記環状補強部材から前記筒状部まで延びる柱状補強部材が配設されている。
【００２３】
更に好ましい形態では、前記柱状補強部材は、前記環状補強部材から放射状に複数設けられている。
【発明の効果】
【００２４】
本発明のストレーナ付き液体タンクによれば、ストレーナの筒状部に、該筒状部の内側下方へ向かって延びる傾斜部を有する跳ね返り防止部材が配設されていることにより、作業者が注入口に取り付けられたストレーナ（のフィルタ部）の中心部分へ向かって薬液や水等の液体を注ぎ込んだ場合に、その液体がストレーナのフィルタ部分の補強部材等に当たって跳ね上がっても、跳ね上がった液体が跳ね返り防止部材、特にその傾斜部の裏面である裏側傾斜面に当たってストレーナ内へ戻される。また、作業者が注入口に取り付けられたストレーナ（のフィルタ部）の中心部分を外して跳ね返り防止部材へ向かって液体を注ぎ込んだ場合であっても、前記液体がその傾斜部の表面である表側傾斜面によりストレーナの内側（特に、その中心方向）へ誘導される。そのため、液体注入時における液体タンクからの漏れ或いは飛散を抑制でき、当該液体を液体タンクに確実に貯留でき、液体注入時の作業性を格段に高めることができる。
【００２５】
また、跳ね返り防止部材が、タンク本体の注入口の上端側開口もしくはストレーナの筒状部の上端側開口から所定の距離を置いて設けられていることにより、作業者が跳ね返り防止部材へ向かって液体を注ぎ込んだ場合であっても、該跳ね返り防止部材の表面に当たった液体が当該跳ね返り防止部材から液体タンクの外部へ漏れることを効果的に抑制することができる。
【００２６】
また、跳ね返り防止部材が、筒状部に着脱可能に配設されていることにより、例えば作業者がストレーナのフィルタ部及びタンク本体を洗浄する際に前記跳ね返り防止部材を簡便に取り外すことができ、作業者の作業性を更に高めることができる。
【００２７】
また、フィルタ部が、筒状部から下方へ行くに従って縮径するテーパ部と該テーパ部の下端に設けられた底部とからなる逆錐台状を有していることにより、当該フィルタ部の表面積（すなわち濾過面積）を増やすことができる。また、ストレーナの高さを小さくした場合でも、充分なフィルタ部の表面積を確保できる。さらに、作業者が注入口に取り付けられたストレーナのフィルタ部を目掛けて液体を注ぎ込んだ場合に、注ぎ込まれる液体がそのテーパ部によりストレーナの内側（特に、その中心方向）へ誘導されると共に、前記液体に渦流が形成され、液体が上方へ向かって跳ね上がることが抑制されるため、跳ね上がった液体が液体タンクの外部へ漏れる或いは飛散することを効果的に抑制できる。また、上記液体に形成された渦流により、当該フィルタ部で濾過された異物がフィルタ部の表面に張り付くことを回避できるため、当該フィルタ部の濾過性能を確保できるといった利点もある。
【００２８】
さらに、フィルタ部の底部に、該底部の周囲に沿って環状補強部材が配設され、該環状補強部材の内側にフィルタ部材が配されていることにより、作業者が注入口に取り付けられたストレーナ（のフィルタ部）の中心部分へ向かって液体を注ぎ込んだ場合に、その液体が環状補強部材の内側のフィルタ部材に注がれるため、液体が上方へ向かって跳ね上がることなくスムーズに濾過される。また、仮に、液体が環状補強部材に当たって跳ね返りが発生したとしても、跳ね上がった液体はフィルタ部のテーパ部で濾過されるので、跳ね上がった液体が液体タンクの外部へ漏れる或いは飛散することをより効果的に抑制することができる。
【図面の簡単な説明】
【００２９】
【図１】本発明に係るストレーナ付き液体タンクの実施形態１を示す図であり、（Ａ）はその縦断面図、（Ｂ）は図１（Ａ）のＡ１−Ａ１矢視断面図。
【図２】図１に示すストレーナの分解斜視図。
【図３】図２に示すストレーナ本体を示す図であり、（Ａ）はその上面図、（Ｂ）はその側面図。
【図４】図２に示す跳ね返り防止部材を示す図であり、（Ａ）はその上面図、（Ｂ）はその側面図。
【図５】図２に示す跳ね返り防止部材の他の例を示す図であり、（Ａ）はその上面図、（Ｂ）は図５（Ａ）のＡ５−Ａ５矢視断面図。
【図６】図２に示す跳ね返り防止部材の更に他の例を示す図であり、（Ａ）はその上面図、（Ｂ）は図６（Ａ）のＡ６−Ａ６矢視断面図。
【図７】図２に示す跳ね返り防止部材の更に他の例を示す図であり、（Ａ）はその上面図、（Ｂ）は図７（Ａ）のＡ７−Ａ７矢視断面図。
【図８】図２に示す跳ね返り防止部材の更に他の例を示す図であり、（Ａ）はその上面図、（Ｂ）は図８（Ａ）のＡ８−Ａ８矢視断面図。
【図９】図２に示す跳ね返り防止部材の更に他の例を示す縦断面図。
【図１０】本発明に係るストレーナ付き液体タンクの実施形態２を示す図であり、（Ａ）はその縦断面図、（Ｂ）は図１０（Ａ）のＡ１０−Ａ１０矢視断面図。
【図１１】本発明に係るストレーナ付き液体タンクの実施形態３を示す図であり、（Ａ）はその縦断面図、（Ｂ）は図１１（Ａ）のＡ１１−Ａ１１矢視断面図。
【図１２】図１１に示す跳ね返り防止部材の他の例を示す縦断面図。
【図１３】本発明に係るストレーナ付き液体タンクの実施形態４を示す図であり、（Ａ）はその縦断面図、（Ｂ）は図１３（Ａ）のＡ１３−Ａ１３矢視断面図。
【図１４】本発明に係るストレーナ付き液体タンクの変形形態のストレーナを示す図であり、（Ａ）はその斜視図、（Ｂ）はその上面図、（Ｃ）はその縦断面図。
【図１５】本発明に係るストレーナ付き液体タンクの更なる変形形態のストレーナを示す図であり、（Ａ）はその斜視図、（Ｂ）はその上面図、（Ｃ）はその縦断面図。
【発明を実施するための形態】
【００３０】
以下、本発明に係るストレーナ付き液体タンクの実施形態を図面を参照して説明する。なお、以下で説明するストレーナ付き液体タンクは、農薬等の薬液や水を農作物や植物等に噴霧もしくは散布する携帯式作業機の他、例えば動力源となるモータやバッテリ、エンジン等が液体タンクの注入口よりも下方に搭載された各種の作業機に適用可能であることは勿論である。また、スピードスプレーヤやブームスプレーヤ等の乗用のものに適用してもよいことは言うまでも無い。
【００３１】
［実施形態１］
図１は、本発明に係るストレーナ付き液体タンクの実施形態１を示す図であり、図１（Ａ）はその縦断面図、図１（Ｂ）は図１（Ａ）のＡ１−Ａ１矢視断面図である。また、図２は、図１に示すストレーナの分解斜視図、図３は、図２に示すストレーナ本体を示す図であり、図３（Ａ）はその上面図、図３（Ｂ）はその側面図、図４は、図２に示す跳ね返り防止部材を示す図であり、図４（Ａ）はその上面図、図４（Ｂ）はその側面図である。
【００３２】
図示するように、液体タンク１は、主に、農薬等の薬液や水などの液体を貯留するタンク本体２と、タンク本体２に貯留される液体に含まれる異物を除去して当該液体を濾過するストレーナ１０と、を備えている。
【００３３】
タンク本体２は、内部に貯留された液体の量を外側から視認できるように、例えば半透明の合成樹脂等からなり、タンク本体２の上部には、上方へ向かって略円筒状の注液部３が突設されている。注液部３の外周面には、不図示のキャップが着脱可能に螺合される雄ねじ部４が螺設されている。注液部３の内周面から、当該タンク本体２の内部に液体を注入するための注入口５が形成されており、その上方へ向かって開口する注入口５には、ストレーナ１０を係合支持するための支持部６が（例えば周方向で等間隔に４箇所の位置に）設けられている。この支持部６は、注入口５の上端側開口５ａ（注液部３の上端面）よりも下方の位置で径方向内側へ向かって突出するように形成されている。
【００３４】
一方、タンク本体２の下部には、タンク本体２に貯留される液体を外部に排出するための排出口７が側方へ向かって突設されている。
【００３５】
ストレーナ１０は、タンク本体２の注液部３の注入口５に着脱可能に且つ同心円上に取り付けられており、主に、注入口５に内嵌されるストレーナ本体１１と、該ストレーナ本体１１の内部に着脱可能に配置される跳ね返り防止部材２０と、を備えている。
【００３６】
ストレーナ本体１１は、注入口５よりも小径であって該注入口５内で保持される円筒状部１２と、該円筒状部１２の下端側開口１２ｂに設けられると共に注入口５から注入される液体を濾過するフィルタ部１４と、を有する。円筒状部１２は、下方に行くに従って段階的に縮径する段付きで形成され、円筒状部１２に環状に設けられた段差部１３が、注入口５に設けられた支持部６に掛かって支持されることで、円筒状部１２が注入口５内で保持され、ストレーナ１０が注入口５に着脱可能かつ回転可能に取り付けられる。なお、取り付け状態では、円筒状部１２の上端（上端側開口１２ａ）は、注入口５の上端側開口５ａ（注液部３の上端面）以下の位置に位置決めされ、円筒状部１２の下端（下端側開口１２ｂ）は、タンク本体２の注液部３の下端よりも僅かに下方まで延設されている。
【００３７】
フィルタ部１４は、前記円筒状部１２（の下側小径部分１２ｄ）と一体に成形され、円筒状部１２の下端から下方へ行くに従って縮径するテーパ部１５と、該テーパ部１５の下端に設けられた平面視略円形の底部１６とからなる逆円錐台状を有している。このフィルタ部１４は、主に所定の網目寸法を有するメッシュ等のフィルタ部材で構成されるが、そのフィルタ部材には、液体注入時等におけるフィルタ部材の形状を保持するべく、補強部材が配されている。具体的には、図２及び図３に示すように、フィルタ部１４の底部１６に、該底部１６の周囲に沿って円環平板状の環状補強部材１６ａが配設され、テーパ部１５に、その環状補強部材１６ａ（の周方向で等間隔の６箇所の位置）から円筒状部１２まで放射状に延びる平板状の柱状補強部材１５ａが配設され、環状補強部材１６ａの内側、および、隣接する柱状補強部材１５ａと環状補強部材１６ａと円筒状部１２の下端により画成される各領域（テーパ部１５に対して垂直な方向で視て略台形状の各領域）に、前記フィルタ部材が一体的に貼設されている。なお、フィルタ部１４全体をメッシュ等のフィルタ部材で一体的に用意し、その裏面に環状補強部材１６ａを配設し、環状補強部材１６ａによってフィルタ部１４全体を裏面から補強するように形成してもよい。また、環状補強部材１６ａおよび柱状補強部材１５ａの上面は、液体の跳ね返りを防止するために、平坦面から構成されている。
【００３８】
跳ね返り防止部材２０は、主に、ストレーナ本体１１の円筒状部１２の上側大径部分１２ｃ（段差部１３よりも上側の部分）よりも僅かに小径であって上側大径部分１２ｃよりも上下方向高さが低い円筒状部材からなる立ち上がり部２１と、立ち上がり部２１の上端（上端側開口２１ａ）から内側下方へ向かって直線状に延びる切頭漏斗状の傾斜部２２と、を有している。傾斜部２２の表面２２ａおよび裏面２２ｂはそれぞれ、内方かつ下方へ向かって傾斜する表側傾斜面および裏側傾斜面を構成している。立ち上がり部２１の下端２１ｂが円筒状部１２の段差部１３（の上面）と当接するように、跳ね返り防止部材２０がストレーナ本体１１の円筒状部１２の上側大径部分１２ｃに内嵌されることで、跳ね返り防止部材２０が、ストレーナ本体１１の内部に着脱可能に載置される。そして、このような配置状態では、立ち上がり部２１の上端（上端側開口２１ａ）（言い換えれば、傾斜部２２の上端）が、円筒状部１２（の上側大径部分１２ｃ）の上端側開口１２ａから所定の距離Ｈを置いて配置されると共に、傾斜部２２の先端２２ｃが、円筒状部１２の下側小径部分１２ｄの内部まで延設されており、跳ね返り防止部材２０の傾斜部２２が、円筒状部１２の内側へ向かって張り出されるように延びている。
【００３９】
なお、上記したストレーナ１０をタンク本体２の注入口５に取り付ける際には、跳ね返り防止部材２０をストレーナ本体１１に組み付けてストレーナ１０を作製した後、そのストレーナ１０をタンク本体２の注入口５に上方から内嵌してもよいし、ストレーナ本体１１のみをタンク本体２の注入口５に上方から内嵌した後、そのストレーナ本体１１に跳ね返り防止部材２０を組み付けてもよい。さらに、後述するように、ストレーナ本体１１と跳ね返り防止部材２０を一体に形成して注入口５に取り付けてもよい。
【００４０】
このような構成のストレーナ１０付き液体タンク１では、ストレーナ１０の円筒状部１２に、該円筒状部１２の内側下方へ向かって延びる傾斜部２２を有する跳ね返り防止部材２０が設けられることにより、作業者が注入口５に取り付けられたストレーナ１０（のフィルタ部１４）の中心部分へ向かって薬液や水等の液体を注ぎ込んだ場合に、その液体がストレーナ１０のフィルタ部１４の補強部材等に当たって跳ね上がっても、跳ね返った液体が跳ね返り防止部材２０、特にその傾斜部２２の裏面２２ｂである裏側傾斜面に当たってストレーナ１０内へ戻される。また、作業者が注入口に取り付けられたストレーナ１０（のフィルタ部１４）の中心部分を外して跳ね返り防止部材２０へ向かって液体を注ぎ込んだ場合であっても、前記液体がその傾斜部２２の表面２２ａである表側傾斜面によりストレーナ１０の内側（特に、その中心方向）へ誘導される。そのため、液体注入時における液体タンク１からの漏れ或いは飛散を抑制でき、当該液体を液体タンク１に確実に貯留でき、液体注入時の作業性を格段に高めることができる。
【００４１】
また、跳ね返り防止部材２０が、タンク本体２の注入口５の上端側開口５ａやストレーナ１０の円筒状部１２の上端側開口１２ａから所定の距離を置いて設けられていることにより、作業者が跳ね返り防止部材２０へ向かって液体を注ぎ込んだ場合であっても、跳ね返り防止部材２０の表面に当たった液体が当該跳ね返り防止部材２０から液体タンク１の外部へ直接的に漏れることを効果的に抑制することができる。
【００４２】
また、ストレーナ本体１１のフィルタ部１４が、円筒状部１２から下方へ行くに従って縮径するテーパ部１５と該テーパ部１５の下端に設けられた底部１６とからなる逆円錐台状を有していることにより、当該フィルタ部１４の表面積（すなわち濾過面積）を増やすことができる。本実施形態では、たとえばフィルタ部が円筒状部の下端に平面状に設けられたストレーナ本体と比較して、フィルタ部の表面積を約150%増加できることが確認されている。また、ストレーナ１０の高さを小さくした場合でも、充分なフィルタ部１４の表面積を確保できる。さらに、作業者が注入口５に取り付けられたストレーナ１０のフィルタ部１４を目掛けて液体を注ぎ込んだ場合に、注ぎ込まれる液体がそのテーパ部１５によりストレーナ１０の内側（特に、その中心方向）へ誘導されると共に、前記液体に渦流が形成され、液体が上方へ向かって跳ね上がることが抑制されるため、跳ね上がった液体が液体タンクの外部へ漏れる或いは飛散することを効果的に抑制できる。また、上記液体に形成された渦流により、当該フィルタ部１４で濾過された異物（例えば、落ち葉や石）がフィルタ部１４の表面に張り付くことを回避できるため、当該フィルタ部１４の濾過性能を確保できるといった利点もある。
【００４３】
さらに、フィルタ部１４の底部１６に、該底部１６の周囲に沿って環状補強部材１６ａが配設され、該環状補強部材１６ａの内側にフィルタ部材が配されていることにより、作業者が注入口５に取り付けられたストレーナ１０（のフィルタ部１４）の中心部分へ向かって液体を注ぎ込んだ場合に、その液体が環状補強部材１６ａの内側のフィルタ部材に注がれるため、液体が上方へ向かって跳ね上がることなくスムーズに濾過される。また、仮に、液体が環状補強部材１６ａに当たって跳ね返りが発生したとしても、跳ね上がった液体はフィルタ部１４のテーパ部１５で濾過されるので、跳ね上がった液体が液体タンク１の外部へ漏れる或いは飛散することをより効果的に抑制することができる。
【００４４】
上記した理由により、上記ストレーナ１０付き液体タンク１を携帯式作業機等に適用すると、液体タンク１の注入口５よりも下方に搭載されたモータやバッテリ、エンジン等の動力源、作業機を背負ったり持ったりするためのバンド等を構成する部品に農薬等の液体が飛散もしくは付着することを回避でき、それらの部品が錆付くといった問題を確実に解消し得る。
【００４５】
なお、上記した跳ね返り防止部材２０には、当該跳ね返り防止部材２０の表面に液膜が形成されるのを防止したり、当該跳ね返り防止部材２０の上方に溜まった液体や作業者が当該跳ね返り防止部材２０へ向かって注ぎ込んだ液体をストレーナ本体１１のフィルタ部１４へ排水すべく（水抜き効果、水切れ効果）、切欠きが設けられていてもよい。
【００４６】
例えば、図５に示すように、跳ね返り防止部材２０の周側部、特に立ち上がり部２１の一部（図示例では周方向で等間隔に４箇所の部分）とその立ち上がり部２１の一部に連続する傾斜部２２の一部（傾斜部２２の上端部分）に平面視で略矩形状の切欠き２３ａが設けられていてもよい。また、図６に示すように、跳ね返り防止部材２０の周側部、特に立ち上がり部２１の一部（図示例では周方向で等間隔に４箇所の部分のうちの下端部分を除いた部分）とその立ち上がり部２１の一部に連続する傾斜部２２の一部（傾斜部２２の上端部分）に平面視で略矩形状の切欠き２３ｂが設けられていてもよい。また、図７に示すように、跳ね返り防止部材２０の傾斜部２２の一部（図示例では周方向で等間隔に４箇所の部分であって、傾斜部２２の中腹部分）に平面視で略矩形状の切欠き２３ｃが設けられていてもよい。また、図８に示すように、跳ね返り防止部材２０の傾斜部２２の一部（図示例では周方向で等間隔に４箇所の部分であって、傾斜部２２の内端部分）に平面視で略矩形状且つ内側へ開口する切欠き２３ｄが設けられていてもよい。ここで、図７及び図８に示すように、前記切欠きが傾斜部２２の中腹部分や内端部分にのみ、すなわち跳ね返り防止部材２０の周側部以外の部分に部分的に形成されている場合には、上記した跳ね返り防止部材２０の跳ね返り防止機能を確保できると考えられる。
【００４７】
なお、跳ね返り防止部材２０に設けられる切欠きは、上記した図５〜図８に示す形態のみに限定されず、例えば、図５〜図８に示す切欠きを適宜に組み合わせて適用してもよいし、その切欠きの位置や形状、大きさ、数等を適宜に変更して適用してもよい。
【００４８】
また、上記した跳ね返り防止部材２０の傾斜部２２は、上記したような直線状を呈する形態のみに限定されず、例えば、その傾斜角が連続的に変化するように、上に凸（図９参照）あるいは下に凸となる曲線状を呈する部分を有していてもよい。
【００４９】
［実施形態２］
図１０は、本発明に係るストレーナ付き液体タンクの実施形態２を示す図であり、図１０（Ａ）はその縦断面図、図１０（Ｂ）は図１０（Ａ）のＡ１０−Ａ１０矢視断面図である。本実施形態２のストレーナ１０Ａ付き液体タンク１Ａは、上記した実施形態１の液体タンク１に対し、ストレーナを構成する跳ね返り防止部材の形状のみが相違しており、その他の構成は実施形態１の液体タンク１とほぼ同様である。したがって、実施形態１の液体タンク１と同様の構成については同様の符号を付してその詳細な説明は省略する。
【００５０】
上記した実施形態１では、ストレーナ１０を構成する跳ね返り防止部材２０の傾斜部２２が、直線状を呈している。一方で、本実施形態２では、跳ね返り防止部材２０Ａの傾斜部２２Ａの傾斜角が、段階的に変化している。具体的には、跳ね返り防止部材２０Ａの傾斜部２２Ａは、立ち上がり部２１Ａの上端（上端側開口２１ａＡ）から内側下方へ向かって直線状に延びる第１傾斜部２２１Ａと、第１傾斜部２２１Ａの先端２２１ｃＡから内側下方へ向かって且つ第１傾斜部２２１Ａよりも大きな傾斜角で直線状に延びる第２傾斜部２２２Ａと、から構成されている。
【００５１】
このような構成とすることで、跳ね返り防止部材２０Ａの傾斜部２２Ａの先端２２ｃＡにより画成される開口（すなわち、液体が注ぎ込まれる開口）を確保できると共に、傾斜部２２Ａの裏面２２ｂＡ（裏側傾斜面）の傾斜角を大きくして、跳ね返り防止部材２０Ａの裏面に当たった液体を、より確実にストレーナ１０Ａ内へ戻すことができる。
【００５２】
なお、本実施形態２においても、上記した実施形態１において図５〜図８に基づき説明したような切欠きが跳ね返り防止部材２０Ａの傾斜部２２Ａや立ち上がり部２１Ａに設けられていてもよい。
【００５３】
また、跳ね返り防止部材２０Ａの傾斜部２２Ａ（の第１傾斜部２２１Ａや第２傾斜部２２２Ａ）が、上記した実施形態１において図９に基づき説明したような曲線状を呈する部分を有していてもよいことは勿論である。
【００５４】
［実施形態３］
図１１は、本発明に係るストレーナ付き液体タンクの実施形態３を示す図であり、図１１（Ａ）はその縦断面図、図１１（Ｂ）は図１１（Ａ）のＡ１１−Ａ１１矢視断面図である。本実施形態３のストレーナ１０Ｂ付き液体タンク１Ｂは、上記した実施形態１、２の液体タンク１、１Ａに対し、ストレーナを構成する跳ね返り防止部材の形状のみが相違しており、その他の構成は実施形態１、２の液体タンク１、１Ａとほぼ同様である。したがって、実施形態１、２の液体タンク１、１Ａと同様の構成については同様の符号を付してその詳細な説明は省略する。
【００５５】
本実施形態３では、ストレーナ１０Ｂを構成する跳ね返り防止部材２０Ｂは、主に、径方向で所定の幅（具体的には、外径がストレーナ本体１１Ｂの円筒状部１２Ｂの上側大径部分１２ｃＢよりも小径且つ下側小径部分１２ｄＢよりも大径であって、内径が下側小径部分１２ｄＢよりも小径）を有する円環状部材からなる水平部２１Ｂと、水平部２１Ｂの内端（内端開口側２１ａＢ）から内側下方へ向かって直線状に延びる切頭漏斗状の傾斜部２２Ｂと、を有している。そして、水平部２１Ｂの裏面が円筒状部１２Ｂの段差部１３Ｂ（の上面）と当接するように、跳ね返り防止部材２０Ｂがストレーナ本体１１Ｂの円筒状部１２Ｂの上側大径部分１２ｃＢに内嵌されることで、この跳ね返り防止部材２０Ｂがストレーナ本体１１Ｂの内部に着脱可能に配置される。
【００５６】
このような構成とすることで、跳ね返り防止部材２０Ｂの形状を簡素化かつ小型化できると共に、跳ね返り防止部材２０Ｂ（の上端部分）とタンク本体２Ｂの注入口５Ｂの上端側開口５ａＢやストレーナ１０Ｂの円筒状部１２Ｂの上端側開口１２ａＢとの距離を確保でき、作業者が跳ね返り防止部材２０Ｂへ向かって液体を注ぎ込んだ場合であっても、跳ね返り防止部材２０Ｂの表面に当たった液体が当該跳ね返り防止部材２０Ｂから液体タンク１Ｂの外部へ直接的に漏れることをより確実に抑制できる。
【００５７】
なお、本実施形態３においても、上記した実施形態１において図５〜図８に基づき説明したような切欠きが跳ね返り防止部材２０Ｂの傾斜部２２Ｂや水平部２１Ｂに設けられていてもよい。
【００５８】
また、跳ね返り防止部材２０Ｂの傾斜部２２Ｂは、上記した実施形態１、２と同様、上記したような直線状を呈する形態のみに限定されず、例えば、その傾斜角が連続的に変化するように、上に凸（図１２参照）あるいは下に凸となる曲線状を呈する部分を有していてもよい。
【００５９】
［実施形態４］
図１３は、本発明に係るストレーナ付き液体タンクの実施形態４を示す図であり、図１３（Ａ）はその縦断面図、図１３（Ｂ）は図１３（Ａ）のＡ１３−Ａ１３矢視断面図である。本実施形態４のストレーナ１０Ｃ付き液体タンク１Ｃは、上記した実施形態３の液体タンク１Ｂに対し、主にストレーナを構成する跳ね返り防止部材の配置が相違しており、その他の構成は実施形態３の液体タンク１Ｂとほぼ同様である。したがって、実施形態３の液体タンク１Ｂと同様の構成については同様の符号を付してその詳細な説明は省略する。
【００６０】
上記した実施形態１〜３では、ストレーナを構成する跳ね返り防止部材が、ストレーナ本体の円筒状部の上側大径部分に内嵌されて、円筒状部に設けられた段差部に載置されている。一方で、本実施形態４では、跳ね返り防止部材２０Ｃが、円筒状部１２Ｃの上端部（上端側開口１２ａＣ）に載置されている。
【００６１】
具体的には、ストレーナ１０Ｃを構成する跳ね返り防止部材２０Ｃは、径方向で所定の幅（ここでは、外径がタンク本体２Ｃの注入口５Ｃよりも小径且つストレーナ本体１１Ｃの円筒状部１２Ｃの上側大径部分１２ｃＣよりも大径であって、内径が上側大径部分１２ｃＣよりも小径）を有する円環状部材からなる水平部２１Ｃと、水平部２１Ｃの内端（内端開口側２１ａＣ）から内側下方へ向かって直線状に延びる切頭漏斗状の傾斜部２２Ｃと、を有している。そして、水平部２１Ｃの裏面が円筒状部１２Ｃの上端面（上端側開口１２ａＣ）と当接するように、跳ね返り防止部材２０Ｃがストレーナ本体１１Ｃの円筒状部１２Ｃの上端部に載置されることで、跳ね返り防止部材２０Ｃがストレーナ本体１１Ｃの上部に着脱可能に配置される。そして、このような配置状態では、水平部２１Ｃの表面（すなわち、跳ね返り防止部材２０Ｃの上端部分）が、タンク本体２Ｃの注入口５Ｃの上端側開口５ａＣから所定の距離ＨＣを置いて配置されている。
【００６２】
このような構成であっても、上記した実施形態１〜３と同様の作用効果を奏することができる。
【００６３】
なお、本実施形態４においても、上記した実施形態１において図５〜図８に基づき説明したような切欠きが跳ね返り防止部材２０Ｃの傾斜部２２Ｃや水平部２１Ｃに設けられていてもよい。
【００６４】
また、跳ね返り防止部材２０Ｃの傾斜部２２Ｃが、上記した実施形態３において図１２に基づき説明したような曲線状を呈する部分を有していてもよいことは勿論である。
【００６５】
［変形形態］
なお、上記した実施形態１〜４では、ストレーナの円筒状部に設けられた段差部が注入口に設けられた支持部に掛かって支持されることで、ストレーナが注入口に取り付けられる形態について説明したが、注入口に対するストレーナの取り付け構成は適宜に変更できることは勿論である。
【００６６】
また、上記した実施形態１〜４では、液体注入時における液体タンクからの漏れ或いは飛散を確実に抑制するべく、ストレーナを構成する跳ね返り防止部材が周方向で連続に、すなわち円環状に設けられる形態について説明した。一方で、ストレーナの跳ね返り防止部材は、例えば使用者の要求等に応じて、図１４に示すように周方向で部分的に設けてもよい（図１４の跳ね返り防止部材２０'参照）。すなわち、周方向の一部（図１４に示す例では、９０度の角度範囲の部分）に設けてもよいし、周方向で複数の箇所に分割して設けてもよい。また、ストレーナの跳ね返り防止部材は、例えば、図１５に示すように、螺旋状などの周方向で不連続となるように、言い換えれば周方向で上下方向の位置又は高さを変化させながら設けてもよい（図１５の跳ね返り防止部材２０''参照）。
【００６７】
また、上記した実施形態１〜４では、例えば作業者等がストレーナのフィルタ部やタンク本体を洗浄する際に跳ね返り防止部材を取り外したり、この跳ね返り防止部材を他のストレーナに利用したりできるように、跳ね返り防止部材がストレーナ本体の円筒状部と別体として設けられ、当該跳ね返り防止部材がストレーナ本体の円筒状部に着脱可能に配置される形態について説明した。一方で、ストレーナの跳ね返り防止部材は、ストレーナ本体の円筒状部と一体として設けてもよい。その場合には、図１５に示したように、ストレーナの跳ね返り防止部材を螺旋状などに形成してストレーナ本体の円筒状部と一体成形することが考えられる。また、当該跳ね返り防止部材をストレーナ本体の円筒状部と別体として設ける場合にも、例えば、接着、溶着、ねじ等を用いた締結などにより、当該跳ね返り防止部材をストレーナ本体の円筒状部に固定して配置してもよい。
【００６８】
また、上記した実施形態１〜４では、ストレーナ本体のフィルタ部が、円筒状部から下方へ行くに従って縮径するテーパ部と該テーパ部の下端に設けられた底部とからなる逆円錐台状を有している形態について説明したが、たとえば、フィルタ部の表面積をより増大させるべく、フィルタ部を、円筒状部から下方へ延びる円筒状のストレート部と該ストレート部の下端に設けられた底部とから構成してもよい。
【００６９】
また、上記した実施形態１〜４では、ストレーナ本体のフィルタ部の底部に配設された環状補強部材が円環状である形態について説明したが、例えば、楕円形状や多角形状などであってもよいことは勿論である。さらに、フィルタ部のテーパ部に配設された柱状補強部材の位置や形状、大きさ、数等は、フィルタ部に要求される強度等に応じて適宜に変更できることは当然である。
【符号の説明】
【００７０】
１      液体タンク
２      タンク本体
３      注液部
４      雄ねじ部
５      注入口
５ａ    注入口の上端側開口
６      支持部
７      排出口
１０    ストレーナ
１１    ストレーナ本体
１２    円筒状部（筒状部）
１２ａ  円筒状部の上端側開口
１２ｂ  円筒状部の下端側開口
１２ｃ  円筒状部の上側大径部分
１２ｄ  円筒状部の下側小径部分
１３    段差部
１４    フィルタ部
１５    テーパ部
１６    底部
１６ａ  環状補強部材
２０    跳ね返り防止部材
２１    立ち上がり部
２１ａ  立ち上がり部の上端側開口
２１ｂ  立ち上がり部の下端
２２    傾斜部
２２ａ  傾斜部の表面
２２ｂ  傾斜部の裏面
２２ｃ  傾斜部の先端
２３ａ、２３ｂ、２３ｃ、２３ｄ  切欠き
【図１】
0006622954.tif 000002
【図２】
0006622954.tif 000003
【図３】
0006622954.tif 000004
【図４】
0006622954.tif 000005
【図５】
0006622954.tif 000006
【図６】
0006622954.tif 000007
【図７】
0006622954.tif 000008
【図８】
0006622954.tif 000009
【図９】
0006622954.tif 000010
【図１０】
0006622954.tif 000011
【図１１】
0006622954.tif 000012
【図１２】
0006622954.tif 000013
【図１３】
0006622954.tif 000014
【図１４】
0006622954.tif 000015
【図１５】
0006622954.tif 000016